(57)【要約】【課題】包装機械の包装フィルム供給装置において、省スペースのコンパクトな機構であって、ローラへのフィルムの巻き付けの作業性を損なうことなく、包装フィルムの繰り出し停止時の包装フィルムのたるみを防止し、包装フィルムの繰り出し再開時の包装フィルムへの衝撃的な引張力の作用を防止する。【解決手段】巻取り包材支持・制動部１０、包装フィルムパス長調整部２０及び包装フィルム繰出し部３０を備え、包装フィルムパス長調整部２０は、回転板２１、回転板支持軸２５及びレバー２６からなる回転部材と、回転板２１に回転自在に支持されたクッションローラ２３ａ〜２３ｅと、前記回転部材を回転させるように、レバー２６の一端を押圧するエアシリンダ２７と、バンドブレーキ機構１３、１４の制動力を制御するスライド棒１５とレバー２６の他端を連結する連結棒２８とを備えている包装フィルム供給装置１。【選択図】図２
2020059591.tif 000002
【特許請求の範囲】
【請求項１】
包装フィルムがロール状に巻き取られた巻取り包材を回転自在に支持する巻取り包材支持手段と、
前記巻取り包材支持手段に支持された巻取り包材の回転を制動するブレーキ手段と、
前記巻取り包材支持手段に支持された巻取り包材から包装フィルムを繰り出す包装フィルム繰出し手段と、
前記巻取り包材支持手段と前記包装フィルム繰出し手段との間の前記包装フィルムのパス長さを調整する包装フィルムパス長調整手段と
を備えた包装フィルム供給装置であって、
前記包装フィルムパス長調整手段は、
回転部材と、
前記回転部材に一端が回転自在に支持され他端が保持部材に保持されたローラであって、前記回転部材の回転中心を挟んで対向する位置に設けられ、前記包装フィルムが巻き付けられる少なくとも一対の調整ローラと、
前記一対の調整ローラに巻き付けられた前記包装フィルムのパス長さが大きくなる方向に前記回転部材を回転させるように、前記回転部材の前記回転中心から離れた位置を一定の力で押圧する押圧手段と、
前記ブレーキ手段の制動力を制御する制動力制御部材と前記回転部材を連結する連結部材と
を備えていることを特徴とする包装フィルム供給装置。
【請求項２】
前記回転部材は、さらに、前記一対の調整ローラの近傍であって前記回転部材の回転中心を挟んで対向する位置に設けられた他の一対の調整ローラと、前記一対の調整ローラの一方と前記他の一対の調整ローラの一方との間に設けられた中間ローラを備えていることを特徴とする請求項１記載の包装フィルム供給装置。
【請求項３】
前記保持部材は、前記一対の調整ローラに前記包装フィルムを巻き付けるための離間部を備えていることを特徴とする請求項１又は請求項２記載の包装フィルム供給装置。
【請求項４】
前記ブレーキ手段はバンドブレーキ機構であり、前記押圧手段はエアシリンダであることを特徴とする請求項１乃至請求項３のいずれかに記載した包装フィルム供給装置。
【発明の詳細な説明】
【技術分野】
【０００１】
本発明は、横ピロー包装機、縦ピロー包装機、上包み包装機、ラッピング包装機等の包装機械に使用され、食品、医薬品等の被包装品を包装する包装フィルムを繰り出す包装フィルム供給装置に関するものである。
【背景技術】
【０００２】
横ピロー包装機、縦ピロー包装機、上包み包装機、ラッピング包装機等の包装機械においては、ロール状に巻き取られた巻取り包材から送りローラによって包装フィルムが連続的に繰り出され、食品、医薬品等の被包装品が包装フィルムによって包装される。
そして、包装機械の包装フィルム供給装置においては、送りローラによって繰り出される包装フィルムにある程度の張力（テンション）を与え、何らかの要因で送りローラによる包装フィルムの繰り出しが停止された場合の包装フィルムのたるみを防止し、送りローラーによる包装フィルムの繰り出しの再開時に包装フィルムに衝撃的な引張力が作用するのを防止するため、巻取り包材の回転軸等にその回転を制動するブレーキ機構が設けられている。
例えば、特許文献１（特開２００３−１０４６０３号公報）には、ウェブロールを回転自在に装着するロールホルダ、前記ウェブロールからウェブ状包装材を繰り出す繰り出し機構、前記ウェブ状包装材に付勢力を作用させて前記ウェブ状包装材に緊張を与える緊張機構、及び前記緊張機構と連動機構を介して連結され且つ前記緊張機構の前記付勢力に基づいて作動し前記ウェブロールの回転を制動するブレーキ機構を備え、前記緊張機構は、装置フレームに水平直動自在に設けられているローラ支持体に回転自在に支持されており且つ前記ウェブ状包装材が巻き掛けられるクッションローラ、及び前記装置フレームと前記ローラ支持体との間に配置されており且つ前記クッションローラを介して前記ウェブ状包装材に付勢力を付与する弾性部材を有しており、前記連動機構は、前記ローラ支持体に取り付けられ且つ前記直動方向に沿って延びるラック、前記装置フレームに回転自在に支持され且つ前記ラックと噛み合うギヤ、及び前記ウェブ状包装材を緊張させる方向に応じた方向の前記ギヤの回転に基づいて前記ブレーキ機構を作動させるため前記ギヤと前記ブレーキ機構の操作部とを連係する連係部材を備えているウェブ状包装材の供給装置が開示されている。
特許文献２（特開２００７−２９０７９２号公報）には、原反フィルムを装着するための装填筒と、 その装填筒に装着された原反フィルムから引き出された帯状のフィルムを挟持すると共に搬送力を与えるフィルム引き出し手段と、前記原反フィルムから前記フィルム引き出し手段に至る帯状のフィルムに接触し、その帯状のフィルムに所定の張力を与えるテンションローラ装置とを備え、前記テンションローラ装置は、バネ等の弾性部材の弾性復元力を利用し、付勢部材が前記帯状のフィルムに対して所定方向に付勢することで前記張力を与えるように構成された包装機本体に対して帯状のフィルムを連続して供給するフィルム供給装置であって、前記装填筒に接触／離反することでブレーキの開閉を行なう制動部材と、前記付勢手段の移動に追従して前記制動部材を移動させるトグル機構とを備えた包装機用フィルム供給装置が開示されている。
【０００３】
しかしながら、特許文献１のウェブ状包装材の供給装置では、クッションローラを支持するローラ支持体を水平直動させてウェブ状包装材に緊張（テンション）を与えていることから、ローラ支持体を水平直動させるスペースが必要となり、緊張機構をコンパクトにできず、クッションローラの両端が装置フレームに支持されていることから、クッションローラへのウェブ状包装材の巻き付け作業等の作業性が悪く、ローラ支持体に取り付けられたラックとこれに噛み合うギヤの回転によってブレーキ機構を作動させていることから、ブレーキ機構を作動させる機構が複雑であるという問題がある。
また、特許文献２の包装機用フィルム供給装置では、テンションローラ装置１２が上下に配置された第１、第２ローラ３１、３２を備え、第１ローラ３１は、機枠２１に正逆回転可能に片持ち支持された支持軸３４に対し、軸受けを介して同軸上に装着され、第２ローラ３２は、支持板３５の下方に支持された状態で回転（自転）すると共に、支持板３５と共に支持軸３４を回転中心として正逆回転（公転）することから、帯状のフィルムの引出し停止時に帯状のフィルムのたるみを防止するには第１ローラ３１と第２ローラ３２の距離を長くとる必要があり、テンションローラ装置１２をコンパクトにできず、第１、第２ローラ３１、３２の両端が支持板３５に支持されていることから、第１、第２ローラ３１、３２への帯状のフィルムの巻き付け作業等の作業性が悪く、トグル機構によりブレーキの開閉を行なう制動部材を移動させていることから、制動装置（ブレーキ機構）が複雑になるという問題がある。
【０００４】
この点、特許文献３（特開２００２−３１６７７５号公報）には、固定にすることができるベース、キャリッジ軸線のまわりの枢動運動のために前記ベースに取り付けられかつ前記フィルムがその部分を貯蔵するように巻回される周部を有するキャリッジ、予め定めた方向に前記キャリッジ軸線のまわりに枢動するように前記キャリッジを押圧するように前記キャリッジに係合するトルク印加部材、および前記軸線を通って前記周部上の角度的に間隔が置かれた位置間に横方向に延びるフィルム通路を含んでいる包装機械用フィルム貯蔵装置が開示されている。
この特許文献３の包装機械用フィルム貯蔵装置では、キャリッジを回転させることによりフィルムを貯蔵するため、特許文献１の緊張機構や特許文献２のテンションローラ装置のような大スペースを必要とせずにコンパクトな装置で機械停止時等におけるフィルムのたるみを防止できる。
しかしながら、特許文献３に記載された包装機械用フィルム貯蔵装置を含む包装機械１０においては、巻取り包材となるローラ１７を支持して回転可能に駆動される軸１６のブレーキ機構について何ら開示されておらず、特許文献３の包装機械用フィルム貯蔵装置は、巻取り包材の回転を制動するブレーキ機構と連動してフィルムにある程度の張力（テンション）を与えたり、フィルムの繰り出しが停止された場合やフィルムの繰り出しが再開された場合に巻取り包材の回転軸に作用するブレーキ力を制御するものではない。
また、特許文献３の包装機械用フィルム貯蔵装置では、フィルムが巻回される複数のローラ５３の一端はベース２１に支持され、他端は端板５４内に固定されていることから（特許文献３の段落［００２２］）、特許文献１や特許文献２と同様にローラ５３へのフィルムの巻き付け作業等の作業性が悪いという問題がある。
【先行技術文献】
【特許文献】
【０００５】
【特許文献１】特開２００３−１０４６０３号公報
【特許文献２】特開２００７−２９０７９２号公報
【特許文献３】特開２００２−３１６７７５号公報
【発明の概要】
【発明が解決しようとする課題】
【０００６】
本発明が解決しようとする課題は、包装機械の包装フィルム供給装置において、省スペースのコンパクトな機構であって、装置を複雑にすることなく、また、ローラへのフィルムの巻き付け作業等の作業性を損なうことなく、巻取り包材の回転軸等の回転を制動するブレーキ機構と連動して、送りローラによって繰り出される包装フィルムにある程度の張力を与え、包装フィルムの繰り出しが停止された場合の包装フィルムのたるみを防止し、送りローラによる包装フィルムの繰り出しの再開時に包装フィルムに衝撃的な引張力が作用するのを防止できるようにすることである。
【課題を解決するための手段】
【０００７】
請求項１の発明は、包装フィルムがロール状に巻き取られた巻取り包材を回転自在に支持する巻取り包材支持手段と、前記巻取り包材支持手段に支持された巻取り包材の回転を制動するブレーキ手段と、前記巻取り包材支持手段に支持された巻取り包材から包装フィルムを繰り出す包装フィルム繰出し手段と、前記巻取り包材支持手段と前記包装フィルム繰出し手段との間の前記包装フィルムのパス長さを調整する包装フィルムパス長調整手段とを備えた包装フィルム供給装置であって、前記包装フィルムパス長調整手段は、回転部材と、前記回転部材に一端が回転自在に支持され他端が保持部材に保持されたローラであって、前記回転部材の回転中心を挟んで対向する位置に設けられ、前記包装フィルムが巻き付けられる少なくとも一対の調整ローラと、前記一対の調整ローラに巻き付けられた前記包装フィルムのパス長さが大きくなる方向に前記回転部材を回転させるように、前記回転部材の前記回転中心から離れた位置を一定の力で押圧する押圧手段と、前記ブレーキ手段の制動力を制御する制動力制御部材と前記回転部材を連結する連結部材とを備えている包装フィルム供給装置を提供して、上記課題を解決するものである。
【０００８】
請求項２の発明は、前記回転部材は、さらに、前記一対の調整ローラの近傍であって前記回転部材の回転中心を挟んで対向する位置に設けられた他の一対の調整ローラと、前記一対の調整ローラの一方と前記他の一対の調整ローラの一方との間に設けられた中間ローラを備えている包装フィルム供給装置を提供して、上記課題を解決するものである。
【０００９】
請求項３の発明は、前記保持部材は、前記一対の調整ローラに前記包装フィルムを巻回するための離間部を備えている包装フィルム供給装置を提供して、上記課題を解決するものである。
【００１０】
請求項４の発明は、前記ブレーキ手段はバンドブレーキ機構であり、前記押圧手段はエアシリンダである包装フィルム供給装置を提供して、上記課題を解決するものである。
【発明の効果】
【００１１】
請求項１に記載の発明の包装フィルム供給装置においては、省スペースのコンパクトな機構であって、装置を複雑にすることなく、また、ローラへのフィルムの巻き付け作業等の作業性を損なうことなく、巻取り包材の回転軸等の回転を制動するブレーキ機構と連動して、送りローラによって繰り出される包装フィルムにある程度の張力を与え、包装フィルムの繰り出しが停止された場合の包装フィルムのたるみを防止し、送りローラによる包装フィルムの繰り出しの再開時に包装フィルムに衝撃的な引張力が作用するのを防止できるという効果を奏する。
【００１２】
請求項２に記載の発明の包装フィルム供給装置においては、さらに、省スペースのコンパクトな機構で、包装フィルムの繰り出しが停止された場合の包装フィルムのたるみをより一層防止し、送りローラによる包装フィルムの繰り出しの再開時に包装フィルムに衝撃的な引張力が作用するのをより一層防止できるという効果を奏する。
【００１３】
請求項３に記載の発明の包装フィルム供給装置においては、さらに、前記一対の調整ローラへ前記包装フィルムを巻き付ける作業性がよくなるという効果を奏する。
【００１４】
請求項４に記載の発明の包装フィルム供給装置においては、さらに、巻取り包材の回転軸等の回転を制動するブレーキ機構を簡素化できるという効果を奏する。
【図面の簡単な説明】
【００１５】
【図１】本発明の包装フィルム供給装置の斜視図である。
【図２】図１の包装フィルム供給装置の平面図である。
【図３】図１の包装フィルム供給装置の正面図である。
【図４】図１の包装フィルム供給装置の背面図である。
【図５】包装フィルムパス長調整部におけるクッションローラと保持板の分解斜視図である。
【図６】通常運転時の包装フィルム供給装置１の動作を説明する説明図である。
【図７】連続フィルムＦｉの繰り出しの停止時等の包装フィルム供給装置１の動作を説明する説明図である。
【図８】クッションローラ２３ａ〜２３ｅによる連続フィルムＦｉのパス長さの調整を説明する説明図である。
【発明を実施するための形態】
【００１６】
［包装フィルム供給装置の構成］
本発明の包装フィルム供給装置の構成について説明する。
図１は、本発明の包装フィルム供給装置の斜視図、図２は、図１の包装フィルム供給装置の平面図、図３は図１の包装フィルム供給装置の正面図、図４は図１の包装フィルム供給装置の背面図、図５は、包装フィルムパス長調整部におけるクッションローラと保持板の分解斜視図である。
図において、１は包装フィルム供給装置、２は主フレーム、３は前フレーム、４は後フレーム、５は補助フレーム、１０は巻取り包材支持・制動部、１１、１２はシャフト、１３、１４はバンドブレーキ機構、１３ａ、１４ａはブレーキドラム、１３ｂ、１４ｂはブレーキバンド、１３ｃ、１４ｃは固定ブロック、１３ｄ、１４ｄはブレーキロッド、１３ｅ、１４ｅはピン、１５はスライド棒、１６、１７はガイドブロック、１８はガイドローラ、１８ａは回転軸、２０は包装フィルムパス長調整部、２１は回転板、２２ａは上側保持板、２２ｂは下側保持板、２２ｇは離間部、２３ａ〜２３ｅはクッションローラ、２４ａ〜２４ｅは保持ボルト、２５は回転板支持軸、２５ａはレバー固定軸、２６はレバー、２７はエアシリンダ、２７ａは固定ブロック、２８は連結棒、２９ａ、２９ｂ、２９ｃはピン、３０は包装フィルム繰出し部、３１は送りローラ、３１ａ、３１ｂは回転軸、３２は押えローラ、３３は送りローラ用サーボモータ、３４は駆動ベルト、ＭＲ１、ＭＲ２は巻取り包材、Ｆｉ、Ｆｉ１、Ｆｉ２は連続フィルムである。
図１に示すように、包装フィルム供給装置１のフレームは、主フレーム２と、主フレーム２の右側前方上部に配置された前フレーム３と、主フレーム２の右側背面に固定された後フレーム４と、主フレーム２の背面側に主フレーム２と平行するように間隔を空けて配置された補助フレーム５から構成される。
そして、包装フィルム供給装置１は、巻取り包材支持・制動部１０、包装フィルムパス長調整部２０及び包装フィルム繰出し部３０を備えている。
【００１７】
巻取り包材支持・制動部１０は、シャフト１１、１２、バンドブレーキ機構１３、１４、スライド棒１５、ガイドブロック１６、１７及びガイドローラ１８を備えている。
シャフト１１、１２は、本発明の巻取り包材支持手段となるもので、一端側が主フレーム２と補助フレーム５の左上に回転自在に支持され、他端側が主フレーム２の前方に突出し、シャフト１１とシャフト１２は、間隔を空けて配置されている。
このシャフト１１、１２には、巻取り包材ＭＲ１、ＭＲ２が取り付けられ、巻取り包材ＭＲ１、ＭＲ２いずれか一方から、連続フィルムＦｉ（Ｆｉ１又はＦｉ２）が繰り出される。
バンドブレーキ機構１３、１４は、ブレーキドラム１３ａ、１４ａ、ブレーキバンド１３ｂ、１４ｂ、固定ブロック１３ｃ、１４ｃ及びブレーキロッド１３ｄ、１４ｄ等を備えている。
ブレーキドラム１３ａ、１４ａは、図２と図４に示すように、補助フレーム５の背面側に突出したシャフト１１、１２の端部に取り付けられ、ブレーキドラム１３ａ、１４ａの周面にはブレーキバンド１３ｂ、１４ｂが巻き付けられ、ブレーキバンド１３ｂ、１４ｂの一端は、補助フレーム５の背面に固定された固定ブロック１３ｃ、１４ｃに取り付けられ、ブレーキバンド１３ｂ、１４ｂの他端はブレーキロッド１３ｄ、１４ｄの一端に取り付けられ、ブレーキロッド１３ｄ、１４ｄの他端は、ピン１３ｅ、１４ｅを介してスライド棒１５に回転可能に取り付けられている。
スライド棒１５は、本発明の制動力制御部材となるもので、補助フレーム５の背面に固定されたガイドブロック１６、１７に摺動自在に支持されている。このスライド棒１５は、左右方向に移動してブレーキロッド１３ｄ、１４ｄのピン１３ｅ、１４ｅが取り付けられている部分を左右方向に移動させ、ブレーキバンド１３ｂ、１４ｂのブレーキドラム１３ａ、１４ａへの締付力（制動力）を制御する。
ガイドローラ１８は、主フレーム２の背面側に突出した回転軸１８ａを備え、回転軸１８ａは主フレーム２と補助フレーム５に回転自在に支持されている。
【００１８】
包装フィルムパス長調整部２０は、回転板２１、上側保持板２２ａ、下側保持板２２ｂ、クッションローラ２３ａ〜２３ｅ、保持ボルト２４ａ〜２４ｅ、回転板支持軸２５、レバー２６、エアシリンダ２７、固定ブロック２７ａ、連結棒２８等を備えている。
回転板２１の正面にはクッションローラ２３ａ〜２３ｅが取り付けられ、回転板２１の背面は回転板支持軸２３の一端に固定されている。
クッションローラ２３ａ〜２３ｅは、一端が回転板２１にベアリング（図示せず）を介して回転自在に支持され、他端が上側保持板２２ａと下側保持板２２ｂに保持され、上側保持板２２ａと下側保持板２２ｂは、本発明の保持部材となる。
図５に示すように、クッションローラ２３ａ〜２３ｅ、上側保持板２２ａ、下側保持板２２ｂには、保持ボルト２４ａ〜２４ｅを通す穴が設けられ、上側保持板２２ａには、クッションローラ２３ａ、２３ｄ、２３ｅが保持ボルト２４ａ、２４ｄ、２４ｅにより取り付け固定されて、ベアリング（図示せず）を介して回転自在に保持され、下側保持板２２ｂには、クッションローラ２３ｂ、２３ｃが保持ボルト２４ｂ、２４ｃにより取り付け固定されて、ベアリング（図示せず）を介して回転自在に保持されている。
そして、上側保持板２２ａの下面と下側保持板２２ｂの上面は離れて離間部２２ｇを形成し、離間部２２ｇの正面側から連続フィルムＦｉをクッションローラ２３ａ〜２３ｅに巻き付ける（掛け渡す）ことができ、これにより、クッションローラ２２ａ〜２２ｅへの連続フィルムＦｉの巻き付け作業の作業性をよくすることができる。
クッションローラ２３ａとクッションローラ２３ｂは、本発明の一対の調整ローラとなるもので、回転板２１の回転中心を挟んで対向する位置に設けられ、巻取り包材ＭＲ１、ＭＲ２から繰り出される連続フィルムＦｉが巻き付けられるようになっている。
クッションローラ２３ｃとクッションローラ２３ｄは、本発明の他の一対の調整ローラとなるもので、クッションローラ２３ａ、２３ｂの近傍であって回転板２１の回転中心を挟んで対向する位置に設けられている。
クッションローラ２３ｅは、本発明の中間ローラとなるもので、クッションローラ２３ａとクッションローラ２３ｄの中間の位置に設けられている。
これらのクッションローラ２３ａ〜２３ｅは、回転板２１の外縁近傍であって回転板２１の回転中心から同じ距離の位置に設けられている。
回転板支持軸２５は主フレーム２と補助フレーム５に回転自在に支持され、回転板支持軸２５の背面側の端部は径の小さいレバー固定軸２５ａとなっている。
このレバー固定軸２５ａには、レバー２６がその中央部から長手方向に寄った位置で固定されている。
そして、回転板２１、回転板支持軸２５及びレバー２６により、本発明の回転部材が構成されている。
エアシリンダ２７は、本発明の押圧手段となるもので、固定ブロック２７ａにより、補助フレーム５の背面に固定され、エアシリンダ２７のピストンロッドの先端部は、ピン２９ａを介してレバー２６の一端に取り付けられている。
連結棒２８は、本発明の連結部材となるもので、その一端がピン２９ｂを介してレバー２６の他端に取り付けられ、連結棒２８の他端は、ピン２９ｃを介してスライド棒１５に取り付けられている。
これにより、エアシリンダ２７を作動させてエアシリンダ２７のピストンロッドを伸縮させると、レバー２６の一端（ピン２９ａの部分）が左右方向に振れて回転板支持軸２５が回転して回転板２１が回転すると共に、レバー２６の他端（ピン２９ｂの部分）が左右方向に振れてスライド棒１５が左右方向に移動し、ブレーキバンド１３ｂ、１４ｂのブレーキドラム１３ａ、１４ａへの締付力（制動力）が制御される。
【００１９】
包装フィルム繰出し部３０は、送りローラ３１、押えローラ３２、送りローラ用サーボモータ３３、駆動ベルト３４等を備えている。
送りローラ３１は、軸方向両側に突出した回転軸３１ａ、３１ｂを備え、回転軸３１ａ、３１ｂは、主フレーム２と前フレーム３に回転自在に支持されている。
押えローラ３２は、押し付けアーム（図示せず）に回転自在に支持され、この押し付けアームにより、押えローラ３２が連続フィルムＦｉを挟んで送りローラ３１に押し付けられる。
送りローラ用サーボモータ３３は、ブラケット（図示せず）により主フレーム２に固定され、その回転軸と送りローラ３１の回転軸３１ａの間には駆動ベルト３４が掛け渡されている。
そして、送りローラ用サーボモータ３３を回転させることにより、送りローラ３１回転し、巻取り包材ＭＲ１、ＭＲ２から連続フィルムＦｉが繰り出される。
【００２０】
［包装フィルム供給装置の動作］
図６は、通常運転時の包装フィルム供給装置１の動作を説明する説明図であり、同図（ａ）は、包装フィルム供給装置１を正面から見た状態を表し、同図（ｂ）は、包装フィルム供給装置１を背面から見た状態を表している。図において、各フレーム、上側保持板２２ａ、下側保持板２２ｂ等は省略し、巻取り包材ＭＲ１、ＭＲ２と連続フィルムＦｉ（Ｆｉ１、Ｆｉ２）は一点鎖線で表す。
図６（ａ）に示すように、通常運転時、送りローラ３１の回転により、巻取り包材ＭＲ１または巻取り包材ＭＲ２から連続フィルムＦｉが繰り出され、連続フィルムＦｉは矢印ｘ１の方向に張力Ｔで引っ張られる。この張力Ｔにより回転板２１には矢印ｘ２の方向に回転しようとするモーメントＭ１が作用する。
一方、図６（ｂ）に示すように、エアシリンダ２７の空気圧によりレバー２６の一端が矢印ｙ１の方向に力Ｆで押されて、レバー２６が矢印ｙ２の方向に回転しようとするモーメントＭ２が作用し、同時に回転板２１にも矢印ｙ２の方向（図６（ａ）の矢印ｙ２’の方向）に回転しようとするモーメントＭ２が作用する。
そして、モーメントＭ１とモーメントＭ２が等しい場合は、回転板２１は回転せず、連続フィルムＦｉは一定の張力Ｔで送られることなる。
ここで、連続フィルムＦｉの張力Ｔが低下してモーメントＭ１がモーメントＭ２より小さくなると、図６（ｂ）に示すように、レバー２６が矢印ｙ２の方向に回転し始めて、レバー２６の他端に取り付けられている連結棒２８が矢印ｙ３の方向に引っ張られ、連結棒２８に取り付けられているスライド棒１５も矢印ｙ３の方向に引っ張られて移動し、これにより、スライド棒１５に取り付けられているブレーキロッド１３ｄ、１４ｄの一端が移動し、ブレーキバンド１３ｂ、１４ｂが矢印ｙ４、ｙ５の方向に引っ張られてブレーキドラム１３ａ、１４ａを締め付け、巻取り包材ＭＲ１または巻取り包材ＭＲ２の回転を制動する制動力が増加する。
この制動力の増加により、低下していた連続フィルムＦｉの張力Ｔが上昇して、モーメントＭ１が上昇し、モーメントＭ２と等しくなるとレバー２６の回転は停止し、連続フィルムＦｉの張力Ｔが回復する。
逆に、連続フィルムＦｉの張力Ｔが上昇すると、レバー２６が矢印ｙ２と反対方向に回転し始め、スライド棒１５が矢印ｙ３と反対方向に引っ張られて移動し、ブレーキバンド１３ｂ、１４ｂのブレーキドラム１３ａ、１４ａへの締め付けが弱まり、巻取り包材ＭＲ１または巻取り包材ＭＲ２の回転を制動する制動力が低下し、連続フィルムＦｉの張力Ｔが低下して元の張力に戻ることとなる。
このようにして連続フィルムＦｉの張力Ｔを一定に保つ制御が行われる。
【００２１】
図８は、連続フィルムＦｉの繰り出しの停止時等の包装フィルム供給装置１の動作を説明する説明図であり、同図（ａ）は、包装フィルム供給装置１を正面から見た状態を表し、同図（ｂ）は、包装フィルム供給装置１を背面から見た状態を表し、図６と同様に、各フレーム、上側保持板２２ａ、下側保持板２２ｂ等は省略し、巻取り包材ＭＲ１、ＭＲ２と連続フィルムＦｉ（Ｆｉ１、Ｆｉ２）は一点鎖線で表す。
何らかの要因で、巻取り包材ＭＲ１または巻取り包材ＭＲ２からの連続フィルムＦｉの繰り出しが停止したり極端に遅くなった場合、連続フィルムＦｉの張力Ｔはゼロまたはゼロに近くなり、図７（ｂ）に示すように、レバー２６が矢印ｙ２の方向に大きく回転し、スライド棒１５が矢印ｙ３の方向に大きく移動し、ブレーキバンド１３ｂ、１４ｂが矢印ｙ４、ｙ５の方向に強く引っ張られてブレーキドラム１３ａ、１４ａを強く締め付け、巻取り包材ＭＲ１または巻取り包材ＭＲ２の回転を制動する制動力が急激に増加し、その回転が停止する。
一方、図７（ａ）に示すようにレバー２６の回転により、回転板２１が矢印ｙ２’の方向に大きく回転し、ガイドローラ１８と送りローラ３１と間の連続フィルムＦｉのパス長さが大幅に増加し、連続フィルムＦｉの弛みが防止される。
このように巻取り包材ＭＲ１（ＭＲ２）からの連続フィルムＦｉの繰り出しが停止したり極端に遅くなった場合、巻取り包材ＭＲ１（ＭＲ２）も回転を停止させ、連続フィルムＦｉのパス長さを大幅に増加させ、連続フィルムＦｉの弛みを防止することができる。
また、停止していた連続フィルムＦｉの繰り出しの再開する場合は、連続フィルムＦｉが引っ張られて回転板２１が図７（ａ）に示す状態から時計回に回転して、ガイドローラ１８と送りローラ３１と間の連続フィルムＦｉのパス長さが短くなり、連続フィルムＦｉに衝撃的な引張力が作用するが防止される。
【００２２】
図８は、クッションローラ２３ａ〜２３ｅによる連続フィルムＦｉのパス長さの調整を説明する説明図であり、同図（ａ）は、連続フィルムＦｉのパス長さが最小となる状態、同図（ｂ）は連続フィルムＦｉのパス長さが最大となる状態を示している。
回転板２１には、一対の調整ローラとなるクッションローラ２３ａ、２３ｂと、他の一対の調整ローラとなるクッションローラ２３ｃ、２３ｄと、中間ローラとなるクッションローラ２３ｅが配置され、回転板２１を回転させてクッションローラ２３ａ〜２３ｅの位置を変えることにより、ガイドローラ１８と送りローラ３１と間の連続フィルムＦｉのパス長を調整することができる。
具体的には、回転板２１を時計回りに回転させて、クッションローラ２３ａ〜２３ｅの位置を図６（ａ）に示すような位置から図８（ａ）に示す位置に変更し、連続フィルムＦｉがクッションローラ２３ｂ、２３ｃに掛け渡されるようにすれば、ガイドローラ１８と送りローラ３１と間の連続フィルムＦｉのパス長さを最小にすることができる。
また、回転板２１を反時計回りに回転させて、クッションローラ２３ａ〜２３ｅの位置を図６（ａ）に示すような位置から図８（ｂ）に示す位置に変更し、連続フィルムＦｉがクッションローラ２３ａ、２３ｂ、２３ｃ、２３ｅに掛け渡されるようにすれば、ガイドローラ１８と送りローラ３１と間の連続フィルムＦｉのパス長さを最大にすることができる。
【産業上の利用可能性】
【００２３】
本発明の包装フィルム供給装置は、省スペースのコンパクトな機構であって、装置を複雑にすることなく、また、ローラへのフィルムの巻き付け作業等の作業性を損なうことなく、巻取り包材の回転軸等の回転を制動するブレーキ機構と連動して、送りローラーによって繰り出される包装フィルムにある程度の張力を与え、包装フィルムの繰り出しが停止された場合の包装フィルムのたるみを防止し、送りローラーによる包装フィルムの繰り出しの再開時に包装フィルムに衝撃的な引張力が作用するのを防止でき、横ピロー包装機、縦ピロー包装機、上包み包装機、ラッピング包装機等の包装機械に利用できる。
【符号の説明】
【００２４】
１  包装フィルム供給装置
２  主フレーム
３  前フレーム
４  後フレーム
５  補助フレーム
１０  巻取り包材支持・制動部
１１、１２  シャフト
１３、１４  バンドブレーキ機構
１３ａ、１４ａ  ブレーキドラム
１３ｂ、１４ｂ  ブレーキバンド
１３ｃ、１４ｃ  固定ブロック
１３ｄ、１４ｄ  ブレーキロッド
１３ｅ、１４ｅ  ピン
１５  スライド棒
１６、１７  ガイドブロック
１８  ガイドローラ
１８ａ  回転軸
２０  包装フィルムパス長調整部
２１  回転板
２２ａ  上側保持板
２２ｂ  下側保持板
２２ｇ  離間部
２３ａ〜２３ｅ  クッションローラ
２４ａ〜２４ｅ  保持ボルト
２５  回転板支持軸
２５ａ  レバー固定軸
２６  レバー
２７  エアシリンダ
２７ａ  固定ブロック
２８  連結棒
２９ａ、２９ｂ、２９ｃ  ピン
３０  包装フィルム繰出し部
３１  送りローラ
３１ａ、３１ｂ  回転軸
３２  押えローラ
３３  送りローラ用ボモータ
３４  駆動ベルト
ＭＲ１、ＭＲ２  巻取り包材
Ｆｉ、Ｆｉ１、Ｆｉ２  連続フィルム
【図１】
2020059591.tif 000003
【図２】
2020059591.tif 000004
【図３】
2020059591.tif 000005
【図４】
2020059591.tif 000006
【図５】
2020059591.tif 000007
【図６】
2020059591.tif 000008
【図７】
2020059591.tif 000009
【図８】
2020059591.tif 000010